(57)【要約】【課題】携帯プリンタ収納時における防水性及び防塵性はもちろんのこと、携帯プリンタ使用時の防水性及び防塵性についても高い効果を発揮できる。【解決手段】収納ケース１０は、携帯プリンタ１２を収納するケース本体４０と、ケース本体４０の下部に対して下方側に開放可能な下カバー４４と、ケース本体４０の上部に対して上方側に開放可能で、その先端から上方側に折り曲げ可能な上カバー４６と、上カバー４６に設けられ、折り曲げる線５４上の上側に設けられた第一の透明窓５６と、上カバー４６に設けられ、折り曲げる線５４上の下側に設けられた第二の透明窓５８と、上カバー４６を折り曲げた状態で保持するための保持部材６２と、を備え、保持部材６２で保持された状態では、第一の透明窓５６と第二の透明窓５８は、重なり合った状態であるように構成される。【選択図】図４
2014188967.tif 000002
【特許請求の範囲】
【請求項１】
印字シートを印字発行する携帯プリンタを収納する携帯プリンタの収納ケースであって、
前記携帯プリンタを収納するケース本体と、
前記ケース本体の下部に対して下方側に開放可能な下カバーと、
前記ケース本体の上部に対して上方側に開放可能で、その先端から上方側に折り曲げ可能な上カバーと、
前記上カバーに設けられ、折り曲げる線上の上側に設けられた第一の透明窓と、
前記上カバーに設けられ、折り曲げる線上の下側に設けられた第二の透明窓と、
前記上カバーを折り曲げた状態で保持するための保持部材と、を備え、
前記保持部材で保持された状態では、前記第一の透明窓と前記第二の透明窓は、重なり合った状態であることを特徴とする携帯プリンタの収納ケース。
【請求項２】
前記第一の透明窓と前記第二の透明窓が重なり合った位置には、前記携帯プリンタの表示部および操作部の少なくとも一方が位置することを特徴とする請求項１に記載の携帯プリンタの収納ケース。
【請求項３】
前記上カバーを折り曲げた状態で形成される前記上カバーと下カバーの隙間の位置に前記印字シートを排出する携帯プリンタの排出口が位置することを特徴とする請求項２に記載の携帯プリンタの収納ケース。
【請求項４】
前記上カバーと前記下カバーは、前記ケース本体に対して面ファスナにより着脱可能に設けられていることを特徴とする請求項１ないし３のいずれかに記載の携帯プリンタの収納ケース。
【請求項５】
前記上カバーと前記下カバーがケース本体に対して閉成した状態では、前記上カバーが前記下カバーの上端部に重なる位置までを覆うことを特徴とする請求項１ないし４のいずれかに記載の携帯プリンタの収納ケース。
【請求項６】
前記上カバーと前記下カバーが重なる位置には面ファスナが設けられ、着脱可能であることを特徴とする請求項５記載の携帯プリンタの収納ケース。
【請求項７】
前記ケース本体の両側面の端部から対向して前記携帯プリンタの上面及び正面の方向に張り出した一対の張り出し部を有することを特徴とする請求項１ないし６のいずれかに記載の携帯プリンタの収納ケース。
【請求項８】
前記下カバーは、前記携帯プリンタ内に収納する印字シートを交換可能に開閉する開閉カバーに合わせて開閉可能であることを特徴とする請求項１ないし７のいずれかに記載の携帯プリンタの収納ケース。
【請求項９】
前記下カバーには前記開閉カバーとの密着性を向上させる凸部が形成されていることを特徴とする請求項８記載の携帯プリンタの収納ケース。
【請求項１０】
前記ケース本体の両側面のうちの一方には、前記携帯プリンタに内蔵された充電バッテリに外部電源から充電するＡＣダプタをアダプタ接続端子に接続するための接続プラグ用開口が形成されており、前記接続プラグ用開口はサイドカバーにより覆われると共に前記サイドカバーと前記ケース本体の側面とは面ファスナによって着脱可能に密着される請求項１ないし９のいずれかに記載の携帯プリンタの収納ケース。
【発明の詳細な説明】
【技術分野】
【０００１】
本発明は、携帯プリンタの収納ケースに係り、特に携帯プリンタの使用時にプリンタを雨や埃等から保護することができる携帯プリンタの収納ケースに関する。
【背景技術】
【０００２】
小型で携帯可能なプリンタは、郵便や宅配便の配達等の流通分野、あるいは電気、ガス等のメータを検診する等の分野において普及している。例えば、宅配便の配達者が荷物を届け先に届けたときに届け先が不在の場合、必要な事項を記載した不在票を携帯プリンタで印字して印字シートを発行し、届け先のポスト等に投函する。
【０００３】
携帯プリンタは、本来、外部環境で使用されるため、収納ケースに収納されて、配達者のベルト等に保持する形で携帯される。また、携帯プリンタは、一般的に、プリンタ上部に入力部や表示部を配置し、正面中央部にプリンタで印字した印字シートを発行するための排出口が形成される。
【０００４】
例えば特許文献１に記載される携帯型プリンタ用の記録用紙保護カバーは、所定の厚みと重さを有し、プリンタ背面に取り付けられたビニルシートをプリンタの背面から正面にかけて覆うように垂れ下げて構成される。これにより、携帯型プリンタの用紙排出口から送り出された記録用紙を保護する記録用紙カバーを形成して、用紙排出口から送り出された記録用紙が、天候の影響を強く受けてしまう事態の発生を回避することができるとされている。また、カバーの存在していない既存の携帯型プリンタに対して、事後的に記録用紙カバーを適宜追加することのできるとされている。
【先行技術文献】
【特許文献】
【０００５】
【特許文献１】特開２０１２−１３１１８８号公報
【発明の概要】
【発明が解決しようとする課題】
【０００６】
ところで、携帯プリンタは、上記したように、外部環境で使用され、プリンタで印字された印字シートはプリンタ排出口から外部に排出される。
【０００７】
したがって、特許文献１のようにプリンタ背面に取り付けられたビニルシートをプリンタの背面から正面にかけて覆うように垂れ下げた構成では、携帯プリンタに対する高い防水性や防塵性を確保できない。
【０００８】
そうかと言って、密閉されたケースから携帯プリンタを出し入れして使用するタイプのものは、収納ケースに収納した状態において携帯プリンタの防水及び防塵はできても、収納ケースから取り出して実際に使用するときに携帯プリンタを雨や埃等から守ることはできない。即ち、携帯プリンタの使用時における防水性及び防塵性において問題がある。
【０００９】
本発明は、このような事情に鑑みてなされたもので、携帯プリンタ収納時における防水性及び防塵性はもちろんのこと、携帯プリンタ使用時の防水性及び防塵性についても高い効果を発揮できる携帯用プリンタの収納ケースを提供することを目的とする。
【課題を解決するための手段】
【００１０】
本発明に係る携帯プリンタの収納ケースは、印字シートを印字発行する携帯プリンタを収納する携帯プリンタの収納ケースであって、前記携帯プリンタを収納するケース本体と、前記ケース本体の下部に対して下方側に開放可能な下カバーと、前記ケース本体の上部に対して上方側に開放可能で、その先端から上方側に折り曲げ可能な上カバーと、前記上カバーに設けられ、折り曲げる線上の上側に設けられた第一の透明窓と、前記上カバーに設けられ、折り曲げる線上の下側に設けられた第二の透明窓と、前記上カバーを折り曲げた状態で保持するための保持部材と、を備え、前記保持部材で保持された状態では、前記第一の透明窓と前記第二の透明窓は、重なり合った状態であることを特徴とする。
【００１１】
本発明によれば、収納ケースは、ケース本体の下部に対して下方側に開放可能な下カバーと、ケース本体の上部に対して上方側に開放可能な上カバーを有している。これにより、下カバーと上カバーとを開放して携帯プリンタを簡単に収納した後、下カバーと上カバーとを閉成することによって、携帯プリンタ収納時における防水性及び防塵性を確保できる。また、収納ケースから携帯プリンタを取り出すときも、下カバーと上カバーとを開放すれば、容易に取り出すことができる。
【００１２】
また、本発明によれば、上カバーはその先端から上方側に折り曲げ可能であると供に、折り曲げる線上の上側に第一の透明窓が設けられ、折り曲げる線上の下側に第二の透明窓が設けられる。そして、上カバーを折り曲げて保持部材で保持することで、第一の透明窓と第二の透明窓を重なり合わせることができる。
【００１３】
したがって、第一の透明窓と第二の透明窓の透明窓の二重窓を通して外部から収納ケースの内部を見ることができる。これによって、収納ケースに収納する携帯プリンタの表示部や操作部等の外部からの透視が必要な部分と、収納ケースの前記二重窓との位置を対応させることで、携帯プリンタを収納ケースに収納したままで使用することができる。
【００１４】
また、上カバーを折り曲げた状態で形成される上カバーと下カバーとの隙間の位置と、携帯プリンタの印字シートを排出する排出口を対応させることで、携帯プリンタを収納ケースに収納したままで使用することができる。
【００１５】
したがって、携帯プリンタ使用時の防水性及び防塵性についても高い効果を発揮できる。
【００１６】
また、本発明の別の態様によれば、前記第一の透明窓と前記第二の透明窓が重なり合った位置には、前記携帯プリンタの表示部および操作部の少なくとも一方が位置することが好ましい。
【００１７】
これにより、上記したように、携帯プリンタを収納ケースに収納したままで使用できるからである。
【００１８】
また、本発明の別の態様によれば、前記上カバーを折り曲げた状態で形成される前記上カバーと下カバーの隙間の位置に前記印字シートを排出する携帯プリンタの排出口が位置することが好ましい。
【００１９】
これにより、上記したように、携帯プリンタを収納ケースに収納したままで使用することができるからである。
【００２０】
また、本発明の別の態様によれば、前記上カバーと前記下カバーは、前記ケース本体に対して面ファスナにより着脱可能に設けられていることが好ましい。
【００２１】
このように、上カバーと下カバーをケース本体に対して面ファスナにより着脱可能に設けることによって、上カバーと下カバーとを容易に開放することができるだけでなく、上カバーとケース本体、及び下カバーとケース本体との密封性が良くなる。したがって、本発明の収納ケースは、携帯プリンタ収納時における防水性及び防塵性を一層確保できる。
【００２２】
また、本発明の別の態様によれば、前記上カバーと前記下カバーがケース本体に対して閉成した状態では、前記上カバーが前記下カバーの上端部に重なる位置までを覆うことが好ましい。
【００２３】
上カバーと下カバーとの間に隙間が形成されにくくなるので、収納ケース全体の密封性も向上する。したがって、本発明の収納ケースは、携帯プリンタ収納時における防水性及び防塵性を一層確保できる。この場合、上カバーと下カバーが重なる位置を面ファスナで着脱可能とすることで、更に密封性を高めることができる。
【００２４】
また、本発明の別の態様によれば、前記ケース本体の前記両側面の端部から対向して前記携帯プリンタの上面及び正面の方向に張り出した一対の張り出し部を有することが好ましい。
【００２５】
これにより、ケース本体に対して上カバーと下カバーとを閉成したときに、一対の張り出し部に、上カバーの両端部と下カバーの両端部とが重なり、密封性が良くなる。したがって、収納ケース全体の密封性を向上することができる。この場合、一対の張り出し部と上カバー及び下カバーとの重なり部分を面ファスナによって着脱可能にすれば、更に密封性を向上できる。
【００２６】
また、本発明の別の態様によれば、前記下カバーは、前記携帯プリンタ内に収納する印字シートを交換可能に開閉する開閉カバーに合わせて開閉可能であることが好ましい。
【００２７】
これにより、携帯プリンタを収納ケースに収納したままで、印字シートの装着及び脱着を行うことができる。
【００２８】
また、本発明の別の態様によれば、前記下カバーには前記開閉カバーとの密着性を向上させる凸部が形成されていることが好ましい。
【００２９】
これにより、携帯プリンタを収納ケースに収納したときに、携帯プリンタと収納ケースとの密着性が良くなり、携帯プリンタを収納ケースの外部から操作するときに携帯プリンタを安定操作することができる。また、下カバーと開閉カバーとの密着性が良くなることによって、携帯プリンタの排出口から排出される印字シートが携帯プリンタと収納ケースとの間に入り込むのを防止できる。
【００３０】
また、本発明の別の態様によれば、前記ケース本体の両側面のうちの一方には、前記携帯プリンタに内蔵された充電バッテリに外部電源から充電するＡＣダプタをアダプタ接続端子に接続するための接続プラグ用開口が形成されており、前記接続プラグ用開口はサイドカバーにより覆われると共に前記サイドカバーと前記ケース本体の側面とは面ファスナによって着脱可能に密着されることが好ましい。
【００３１】
これにより、携帯プリンタを収納ケースに収納したままで充電バッテリに外部電力から充電できる。また、本体ケースに形成される接続プラグ用開口は面ファスナによってサイドカバーで密封性良く覆われるので、接続プラグ用開口を形成しても防水性、防塵性を悪化させることもない。
【発明の効果】
【００３２】
本発明に係る携帯プリンタの収納ケースによれば、プリンタ収納時における防水性及び防塵性はもちろんのこと、プリンタ使用時の防水性及び防塵性についても高い効果を発揮できる。
【図面の簡単な説明】
【００３３】
【図１】本発明の収納ケースに収納される携帯プリンタの一例を示す斜視図
【図２】携帯プリンタの開閉カバーを開成した斜視図
【図３】携帯プリンタのプリンタ機構を説明するための説明図
【図４】本発明の携帯プリンタの収納ケースの基本構成を説明する側面断面図
【図５】本発明の携帯プリンタの収納ケースの斜視図
【図６】収納ケースの正面図
【図７】収納ケースの左側面断面図
【図８】収納ケースの右側面図
【図９】収納ケースの背面図
【図１０】収納ケースの上カバーと下カバーとを開放した状態図
【図１１】携帯プリンタ使用中の斜視図
【図１２】携帯プリンタ使用中の側面断面図
【図１３】収納ケースの上カバーを庇として使用している側面断面図
【発明を実施するための形態】
【００３４】
以下、添付図面にしたがって、本発明の携帯プリンタの収納ケースの好ましい実施の形態について説明する。
【００３５】
先ず、図１から図３により、本発明の実施の形態の収納ケース１０に収納される携帯プリンタ１２の一例について説明する。
【００３６】
［携帯プリンタ］
図１は携帯プリンタ１２の外観図、図２は開閉カバーを開成した状態、図３は携帯プリンタ１２のプリンタ機構を説明する説明図である。なお、本実施の形態では、携帯プリンタ１２で印字するための印字シートとして、台紙ＬＡ上にラベル片ＬＢが仮着されたラベル連続体Ｌの例で説明するが、これに限定されるものではない。
【００３７】
図１に示すように、携帯プリンタ１２は、ケーシングがプリンタハウジング１４と開閉カバー１６で構成される。
【００３８】
そして、図１〜図３に示すように、プリンタハウジング１４に、ラベル連続体Ｌの供給部１８、ラベル位置検出部２０、印字部２２、充電バッテリ２３のバッテリ収納室２４、アダプタ接続端子２６、操作部２８、液晶の表示部３０、制御部３２、電源ボタン３４等が搭載される。
【００３９】
なお、本実施の形態では、図１及び図２に示すように、電源ボタン３４を、操作部２８や表示部３０と同様に、携帯プリンタ１２の正面上部に配置したが、これに限定されない。電源ボタン３４は、操作部２８や表示部３０のように、作業者からみ易い場所に配置する必要がないので、例えば、携帯プリンタ１２の側面部や背面部に設けてもよい。
【００４０】
プリンタハウジング１２は、作業者（例えば配達者）が携帯可能な大きさを有し、ベルト掛け部３６が設けられている。これにより、作業者は、収納ケース１０に収納しない状態でも、肩掛けベルト３８（図３参照）によって肩から吊り下げられるようになっている。
【００４１】
ラベル連続体Ｌは、帯状の台紙ＬＡ上に所定間隔をおいて複数枚のラベル片ＬＢを仮着したものである。ラベル片ＬＢはいわゆるサーマルラベルであって、その表面に感熱発色層が塗工されて印字可能となっている（図３参照）。
【００４２】
図２及び図３に示すように、ラベル連続体Ｌの供給部１８は、携帯プリンタ１２の下部に配置され、ロール状に巻回されたラベル連続体Ｌが回転可能に載置される。そして、開閉カバー１６を開成することにより、ロール状に巻回されたラベル連続体Ｌを装着することができる。また、ラベル連続体Ｌは、後述するプラテンローラ２２Ｂの回転によって、供給部１８に載置されたラベル連続体Ｌを、位置検出部２０及び印字部２２の方向に送り出すように構成される。なお台紙ＬＡの裏面には、所定ピッチで位置検出用マーク（図示せず）が予め印刷されている。
【００４３】
位置検出部２０は、発光素子と受光素子とからなる位置検出センサ２０Ａを有し、ラベル連続体Ｌの裏面側に形成された位置検出用マークの反射光を検出して印字部２２に対するラベル連続体Ｌの（ラベル片ＬＢ）の相対位置を検出する。また、ラベル連続体Ｌに位置検出用マークを設けずに、透過型センサを用いることもできる。
【００４４】
印字部２２は、主として、プリンタハウジング１４の側に取り付けたサーマルヘッド２２Ａと、開閉カバー１６の側に取り付けたプラテンローラ２２Ｂと、サーマルヘッド２２Ａをプラテンローラ２２Ｂの側に押圧するバネ部材２２Ｃと、プラテンローラ２２Ｂを回転駆動する駆動モータ２２Ｄと、で構成される。
【００４５】
プラテンローラ２２Ｂの回転軸一端部には、ギア２５（図２参照）が設けられると供に、このギア２５に歯合して駆動モータ２２Ｄの回転を伝達する連結ギア（図示せず）が設けられる。そして、開閉カバー１６をプリンタハウジング１４に対して閉成することによって、ギア２５と連結ギアとが係合し、駆動モータ２２Ｄによる回転動力がプラテンローラ２２Ｂに伝達され、図３に示すように、プラテンローラ２２Ｂがサーマルヘッド２２Ａに対して対向する位置に配置される。これにより、ラベル連続体Ｌをサーマルヘッド２２Ａとプラテンローラ２２Ｂとで挟持して、プラテンローラ２２Ｂが駆動モータ２２Ｄにより回転駆動される。更に、制御部からは印字情報がサーマルヘッド２２Ａに供給され、印字情報に応じて発熱素子を発熱させる。これにより、印字部２２において、ラベル連続体Ｌのレベル片ＬＢに必要な情報が印字され、排出口２７から排出される。
【００４６】
この排出口２７は、開閉カバー１６とプリンタハウジング１４の隙間であり、携帯プリンタ１２正面のほぼ中央部に形成される。
【００４７】
充電バッテリ２３は、バッテリ収納室２４に収納され、印字部２２のサーマルヘッド２２Ａ及び駆動モータ２２Ｄはもちろんのこと、携帯プリンタ全体に電力を供給する。バッテリ収納室２４には、プリンタハウジング１４の側面と面一となるように開閉蓋２４Ａが設けられ、スライド式のロックレバー２４Ｂを操作することにより、プリンタハウジング１４から開閉蓋２４Ａを開放することができる。これにより、充填バッテリ２３をバッテリ収納室２４に装着したり脱着したりすることができる。
【００４８】
アダプタ接続端子２６は、外部電源に接続して充電バッテリ２３に充電するためのＡＣアダプタ３９を接続する部分であり、携帯プリンタ１２の側面部に設けられる（図３参照）。
【００４９】
操作部２８は、携帯プリンタ１２に必要な情報ないしコマンドを入力する部分であり、携帯プリンタ１２の正面上部の右側位置に設けられる（図１、図２参照）。また、携帯プリンタ１２は、上述するベルト掛け部７２により人体の腰位置に装着され、上方から見下ろして表示部３０の表示が見えるように若干斜めに傾斜している。
【００５０】
これにより、作業者は、表示部３０を見ながら操作部２８に必要な情報を入力したり、印字コマンド等のコマンドを制御部３２に送信したりする。
【００５１】
制御部３２は、電子基板等に設けられており、上記した位置検出部２０、印字部２２、充電バッテリ２３、アダプタ接続端子２６、操作部２８、表示部３０、及び電源ボタン３４との間で情報及びコマンドの授受を行うと共に、これらの機器部を適宜制御する。
【００５２】
次に、上記の如く構成された携帯プリンタ１２を収納するための収納ケース１０について説明する。
【００５３】
［携帯プリンタの収納ケース］
図４に示すように、収納ケース１０は、基本構成として、携帯プリンタ１２を収納するケース本体４０と、ケース本体４０の下部に対して下方側に開放可能な下カバー４４と、ケース本体４０の上部に対して上方側に開放可能で、その先端から上方側に折り曲げ可能な上カバー４６と、上カバー４６に設けられ、折り曲げる線上の上側に設けられた第一の透明窓５６と、上カバー４６に設けられ、折り曲げる線上の下側に設けられた第二の透明窓５８と、上カバー４６を折り曲げた状態で保持するための保持部材（例えば面ファスナ６２）と、で構成される。
【００５４】
そして、以下の説明では、上記した収納ケース１０の基本構成に、各種の好ましい態様を加えたベストモードの態様で説明する。
【００５５】
図５は、収納ケース１０の斜視図であり、図６は正面図、図７は左側面断面図、図８は右側面図、図９は背面図である。また、図１０は、収納ケース１０の上カバーと下カバーとを開放した状態図である。
【００５６】
ここで、収納ケース１０の構成の説明において、収納ケース１０と携帯プリンタ１２との関係は、携帯プリンタ１２を収納ケース１０に収納した状態での関係で説明する。
【００５７】
ケース本体４０及び上下カバー４４、４６の材料は、皮革類（ＰＵ等の人造皮革含む）、ビニール（樹脂シート）、合成繊維等をそのまま使用することもでき、これらを積層した積層シートとして使用することもできる。また、これらの材料を芯材で挟み込んだサンドイッチ構造シートのものを使用することもできる。芯材としては柔らかく弾力性の材料が好ましく、例えばＥＶＡ（エチレン−酢酸共重合体）を好適に使用できる。また、ケース本体４０及び上下カバー４４、４６の材料は、防水性を有することが要求され、例えば撥水性を有していることが好ましい。
【００５８】
ケース本体４０は、携帯プリンタ１２の背面、両側面、及び底面を覆うように形成され、ケース本体４０の両側面４０Ａ，４０Ａの端部から一対の張り出し部４２、４２が携帯プリンタ１２の上面から正面に渡って張り出している。
【００５９】
また、下カバー４４が、ケース本体４０の底面端部から一対の張り出し部４２、４２に架橋された状態で延設される。下カバー４４の延設長さは、携帯プリンタ１２の正面中央部に形成された排出口２７を隠さない排出口下端部の近傍位置まで延設される。換言すると、携帯プリンタ１２の開閉カバー１６を下カバー４４で覆うように構成される。
【００６０】
これにより、下カバー４４を開成することで、携帯プリンタ１２の開閉カバー１６を開成することができるので、携帯プリンタ１２を収納ケース１０に収納したままで、ロール状のラベル連続体Ｌを供給部１８の供給軸１８Ａに装着したり脱着したりすることができる。
【００６１】
また、上カバー４６が、ケース本体４０の背面上端から一対の張り出し部４２、４２に架橋された状態で延設される。上カバー４６の延設長さは、携帯プリンタ１２の上面から正面の排出口が隠れるように覆い、上カバー４６の下端部が下カバー４４の上端部に上から重なる位置まで延設される。
【００６２】
そして、一対の張り出し部４２、４２と、一対の張り出し部４２、４２に対向する下カバー４４及び上カバー４６の両側部のそれぞれに設けられた第１の面ファスナ４８（図７参照）によって着脱可能に密着される。また、上カバー４６のケース内側の下端部と下カバー４４のケース上側の上端部とが第２の面ファスナ５０（図７参照）で着脱自在に密着される。
【００６３】
面ファスナとは、一般的にマジックテープ（商標登録）として知られており、フック状に起毛されたフック状起毛部と、ループ状に密集して起毛されたループ状起毛部とを押し付けることにより貼り付き、剥がす方向の力で剥がれる。したがって、例えば一対の張り出し部４２、４２と、下カバー４４及び上カバー４６との一方にフック状起毛部を形成し、他方にループ状起毛部を形成することで面ファスナを構成できる。
【００６４】
第１の面ファスナ４８が形成された張り出し部４２の幅Ｗとしては、ケース本体４０と下カバー４４及び上カバー４６との密封性を確保できる幅寸法であればよく、例えば５〜１５ｍｍ幅程度が好ましい。
【００６５】
また、上カバー４６の下端部と下カバー４４の上端部とを第２の面ファスナ５０で密着する場合、上カバー４６の下端部を下カバー４４の上端部の上に直接重ねると、上カバー４６の重なり近傍が浮き上がり易く、密封性が悪くなる。したがって、上カバー４６の下端部の上に重ね板部５２をケース外側に張り出すように設け、張り出した部分のケース内側面に第２の面ファスナ５０のフック状起毛部又はループ状起毛部を設けることが好ましい。上カバー４６の下端部と重ね板部５２とは、例えば接着剤で接着することができる。これにより、上カバー４６の下端部と下カバー４４の上端部とを突き合わせた状態で、重ね板部５２と下カバー４４の上端部とを第２の面ファスナ５０で密着させることができるので、上カバー４６の下端部が浮き上がることがなくなる。
【００６６】
また、重ね板部５２のケース内側には、第２の面ファスナ５０及びケース外側には後述する第３の面ファスナ６２（保持部材）がそれぞれ設けられる。
【００６７】
また、上カバー４６には、熱プレスによる押印加工によって形成された折り曲げ溝５４（折り曲げる線）が形成される。そして、折り曲げ溝５４を挟んだ上側に第一の透明窓５６が形成され、折り曲げ溝５４を挟んだ下側に第二の透明窓５８が形成される。この第一の透明窓５６と第二の透明窓５８とは、上カバー４６を折り曲げ溝５４で上方側に折り曲げて重ねて二重窓としたときに、携帯プリンタ１２の正面上部に設けられた操作部２８、表示部３０、及び電源ボタン３４が透視可能なように相対位置関係及び窓面積が形成されている。また、この第一の透明窓５６と第二の透明窓５８は、例えば柔軟な透明樹脂で形成されており、重ね合わせた二重窓の状態でも、作業者が操作部２８のキー及びボタン操作等を正確に操作できるようになっている。
【００６８】
なお、第一の透明窓５６と第二の透明窓５８とは、窓面積が同じである必要はなく、本実施の携帯では、第一の透明窓５６は本体ケース４０の上面から上カバー４６の折り曲げ溝５４近傍まで形成されている。
【００６９】
また、図５に示すように、上カバー４６の前記した重ね板部５２のケース外側の表面と、上カバー４６の第一の透明窓５６の両側に位置する上カバー４６のケース外側に形成された一対の折曲保持部６０、６０のケース外側の表面とには、第３の面ファスナ６２を構成するフック起毛部とループ起毛部とがそれぞれ設けられる。これにより、上カバー４６をケース外側に向かって折り曲げ溝５４で折り曲げて、重ね板部５２と折曲保持部６２、６２とを第３の面ファスナ６２（保持部材）で貼り付けることにより、上カバー４６を折り重ねた状態で保持することができる。
【００７０】
なお、上カバー４６を折り重ねた状態で保持する保持手段としては、特に密封性を必要としないので、面ファスナに限るものではなく、雌ボタンと雄ボタンとを嵌合する構成のものや、他のものでもよい。
【００７１】
また、図７に示すように、下カバー４４の内側面で携帯プリンタ１２の排出口２７下部の位置に、排出口２７と平行な凸状部４５が形成され、開閉カバー１６の表面との密着性を保ち、且つ排出されるラベル連続体Ｌが引っ掛からないようにしている。
【００７２】
更に、図８に示すように、携帯プリンタ１２を収納ケース１０に収納したときに、携帯プリンタ１２の充電バッテリ２３を充電するためのアダプタ接続端子２６に対応するケース本体４０の側面上部には、四角状の接続プラグ用開口６６が形成される。また、ケース本体４０の側面上部には、接続プラグ用開口６６を覆うようにサイドカバー６８が設けられる。サイドカバー６８は、ケース本体４０の上端部と同じ形状に形成されると供に、その上端部はケース本体４０の上端部に揺動自在に支持される。更に、サイドカバー６８の内面と、ケース本体４０の上端部のケース外側には、第４の面ファスナ７０が設けられ、着脱自在に密着される。これにより、サイドカバー６８で接続プラグ用開口６６を密封することができる。また、サイドカバー６８を開成することにより、接続プラグ用開口６６を介して外部電源のＡＣアダプタ３９を接続して充填バッテリ２３を充電することができる。
【００７３】
また、図９に示すように、本体ケース４０の背面４０Ｂには、ベルトを挿入するベルト掛け部７２が形成され、このベルト掛け部７２に作業者のベルトを挿入することにより、本体ケース４０を介して携帯プリンタ１２を携帯保持することができる。
【００７４】
なお、携帯プリンタ１２を携帯保持するための手段は、ベルト掛け部７２に限らずベルトに差し込む板状フックでもよく、あるいは上記携帯プリンタ１２のところで説明したように、肩掛けベルトにより作業者の肩に掛けるようにしてもよい。
【００７５】
［収納ケースの使用方法］
次に、上記の如く構成された携帯プリンタ１２の収納ケース１０の使い方を説明する。
【００７６】
作業者は、収納ケース１０の本体ケース４０に対して上カバー４６と下カバー４４とを開いて携帯プリンタ１２を収納する。この場合、上カバー４６を、本体ケース４０の背面上端位置まで開くことができると共に、下カバー４４を本体ケース４０の底面端部まで開くことができる。これにより、携帯プリンンタ１２を収納ケース１０に容易に収納することができる。携帯プリンタ１２を収納したら収納ケース１０の上カバー４６と下カバー４４とを閉成し、第１の面ファスナ４８及び第２の面ファスナ５０で収納ケース１０を密封する。
【００７７】
図１１は、収納ケース１０に収納された携帯プリンタ１２を使用中の斜視図である。図１２は、携帯プリンタ１２の使用中の側面断面図であり、携帯プリンタ１２の部材としてはサーマルヘッド２２Ａとプラテンローラ２２Ｂ、操作部２８、表示部３０のみを図示し、他の部材は省略している。
【００７８】
携帯プリンタ１２を収納ケース１０に収納した状態で、ラベル連続体Ｌを携帯プリンタ１２の供給部１８に装着していない場合には、収納ケース１０の下カバー４４と携帯プリンタ１２の開閉カバー１６とを開成し、供給部１８にロール状のラベル連続体Ｌを載置する。このように、携帯プリンタ１２の供給部１８へのラベル連続体Ｌの挿脱を収納ケース１０に携帯プリンタ１２を収納したままで行うことができる。
【００７９】
図１０に示すように、作業者は、上カバー４６を折り曲げ溝５４に沿って折り曲げて、上カバー４６下端部の重ね板部５２と、透明上窓５６の両側に形成された折曲保持部６０とを第３の面ファスナ６２により貼り付ける。これにより、携帯プリンタ１２のラベル連続体Ｌを排出する排出口２７が外部に露出されると供に、透明上窓５６と透明下窓５８とが重なった二重窓５６、５８が形成される。
【００８０】
次に、作業者は、二重窓５６、５８を介して携帯プリンタ１２の操作部２８を操作し、必要な印字情報を入力すると供に、携帯プリンタ１２の制御部３２に印字コマンドを送信する。この操作部２８の操作において、透明上窓５６と透明下窓５８とは柔らかい素材で形成されており、二重窓５６、５８の外からでも正確且つ容易に操作部２８の操作を行うことができる。また、入力した印字情報は二重窓５６、５８を通して表示部３０を見ることにより確認することができる。
【００８１】
これにより、携帯プリンタ１２の排出口２７から、必要な情報を印字したラベル連続体Ｌが発行される。
【００８２】
このラベル連続体Ｌの発行において、図１１に示すように、下カバー４４の内側面で携帯プリンタ１２の排出口２７下部に凸状部４５が形成されている。これにより、排出口２７から発行されたラベル連続体Ｌの先端部が垂れ下がっても下カバー４４の内側面に入り込むことはなく、排出口２７の前方に正しく排出することができる。
【００８３】
また、携帯プリンタ１２を収納ケース１０に収納した状態において、凸状部４５が携帯プリンタ１２と収納ケース１０内面との密着性を確保する。これにより、収納ケース１０内で携帯プリンタ１２が動かないようにできるので、作業者は二重窓５６、５８を介して携帯プリンタ１２の操作部２８を安定して操作することができる。
【００８４】
また、図１３に示すように、雨が降っている中で携帯プリンタ１２を使用する場合、作業者は、上カバー４６を完全に折り曲げないで、例えば、折り曲げ角度θを６０°〜９０°程度にすることで、上カバー４６を庇として使用することもできる。これにより、雨降りの日に外部環境で携帯プリンタを使用する場合であっても、排出口２７から進入した雨で携帯プリンタ１２の動作に異常をきたすことを極力回避することができると共に、排出されるラベル連続体Ｌの水濡れを防止することができる。また、携帯プリンタ１２を携帯した状態で移動する際など、ラベル発行を行っていない間は、第１の面ファスナ４８と第２の面ファスナ５０とで収納ケース１０を密封することで、高い防水性及び防塵性を確保することができる。
【００８５】
熱プレスによる押印加工で形成される折り曲げ溝５４は、上カバー４６材料の素材復元力により折り曲げ溝５４が浅くなり易く、更には形成された折り曲げ溝５４の両壁部の弾性復元力により、折り曲げても真っ直ぐに戻ろうとする性質がある。したがって、上カバー４６の折り曲げを繰り返して折り曲げ癖を付けておけば、直ぐに戻ろうとする力が弱くなるので、上カバー４６を折り曲げる途中の状態で止めることが可能となる。
【００８６】
したがって、上カバー４６を完全に折り曲げないで、例えば水平状態（９０°折り曲げ）や水平状態からやや下向きの状態（例えば６０°折り曲げ）まで折り曲げて、携帯プリンタ１２の排出口２７の上方に上カバー４６の庇を形成することができる。
【００８７】
なお、晴れた日には、上カバー４６で庇を形成する必要はないので、上カバー４６を完全に折り曲げて第３の面ファスナ６２で折り曲げた状態に保持して使用することができる。
【００８８】
このように、本発明の実施の形態の収納ケース１０は、携帯プリンタ１２の収納時における防水性及び防塵性はもちろんのこと、携帯プリンタ１２の使用時の防水性及び防塵性に高い効果を発揮できる。
【産業上の利用可能性】
【００８９】
以上、説明したように、本発明に係る携帯プリンタの収納ケースは、携帯プリンタを収納ケースに収納している場合と、使用している場合との両方において優れた防水性及び防塵性を有するので、産業上高い利用価値がある。
【符号の説明】
【００９０】
１０…収納ケース、１２…携帯プリンタ、１４…プリンタハウジング、１６…開閉カバー、１８…供給部、２０…ラベル位置検出部、２２…印字部、２２Ａ…サーマルヘッド、２２Ｂ…プラテンローラ、２２Ｃ…バネ部材、２２Ｄ…駆動モータ、２３…充電バッテリ、２４…バッテリ収納室、２５…ギア、２６…アダプタ接続端子、２７…排出口、２８…入力部、３０…液晶の表示部、３２…制御部、３４…電源ボタン、３６…ベルト掛け部、３８…肩掛けベルト、４０…ケース本体、４２…張り出し部、４４…下カバー、４６…上カバー、４８…第１の面ファスナ、５０…第２の面ファスナ、５２…重ね板部、５４…折り曲げ溝、５６…透明上窓、５８…透明下窓、６０…折曲保持部、６２…第３の面ファスナ（保持手段）、６６…接続プラグ用開口、６８…サイドカバー、７０…第４の面ファスナ、７２…ベルト掛け部、Ｌ…ラベル連続体（印字シート）
【図１】
2014188967.tif 000003
【図２】
2014188967.tif 000004
【図３】
2014188967.tif 000005
【図４】
2014188967.tif 000006
【図５】
2014188967.tif 000007
【図６】
2014188967.tif 000008
【図７】
2014188967.tif 000009
【図８】
2014188967.tif 000010
【図９】
2014188967.tif 000011
【図１０】
2014188967.tif 000012
【図１１】
2014188967.tif 000013
【図１２】
2014188967.tif 000014
【図１３】
2014188967.tif 000015